(57)【要約】【課題】  遊技媒体使用機をネジとドライバを使用して遊技機島に着脱する方法は、遊技媒体使用機の内部に搭載された遊技媒体を貯留するホッパータンク等の様々な装置の間の狭い空間を使って行なわれるものであり、なおかつ、遊技媒体使用機を手で支えながら釘を打込み、引抜く必要がある為、大変困難であった。【解決手段】  予め遊技媒体使用機の底部又は天井部に、一部を一体に取付けた釘状部材を専用の棒状部材でもって梃子の原理を利用して打込み、引抜くことによって、遊技媒体使用機を遊技機島に着脱する。【選択図】  図６
2009066219.tif 000002
【特許請求の範囲】
【請求項１】
遊技機島の枠体への遊技媒体使用機の着脱方法において、
背面部に棒状部材固定部を設けた前記遊技媒体使用機を前記遊技機島の枠体内に収納し、
前面扉を開いた前記遊技媒体使用機の開口から進入させた棒状部材の一端部を前記棒状部材固定部によって固定し、
前記棒状部材の一端部を支点に前記棒状部材の他端部を力点にし、
前記棒状部材の途中の作用点で前記遊技媒体使用機の筐体の底部と天井部の少なくとも一方に設けた釘状部材を押圧することにより前記釘状部材を前記遊技機島の枠体に打込んで、前記遊技媒体使用機を前記遊技機島の枠体に取付けるとともに、
前記前面扉を開いた前記遊技媒体使用機の開口から進入させた前記棒状部材の他端部を前記棒状部材固定部によって固定し、
前記他端部を支点に前記棒状部材の一端部を力点にし、
前記釘状部材と前記棒状部材のそれぞれに設けた係合部を係合させて前記遊技機島の枠体から前記釘状部材を引抜いて、
前記遊技媒体使用機を前記遊技機島の枠体から取外す
ことを特徴とする遊技媒体使用機の着脱方法。
【請求項２】
前記遊技機島の枠体に打込む前記釘状部材の位置が、
前記棒状部材固定部によって固定した前記棒状部材の一端部を中心にした前記棒状部材の揺動範囲の両側端部である
ことを特徴とする請求項１に記載の遊技媒体使用機の着脱方法。
【請求項３】
前記棒状部材固定部が、
前記背面部の前記底部側と前記天井部側の少なくとも一方に設けた穿孔である
ことを特徴とする請求項１又は２記載の遊技媒体使用機の着脱方法。
【請求項４】
前記棒状部材固定部が
前記背面部の前記底部側と前記天井部側の少なくとも一方に設けるとともに、
前記背面部から前記遊技媒体使用機の内方に突設させた係合片である
ことを特徴とする請求項１又は２記載の遊技媒体使用機の着脱方法。
【発明の詳細な説明】
【技術分野】
【０００１】
本発明は、遊技機や遊技媒体貸出機などの遊技媒体使用機を遊技機島の枠体に着脱する方法に関する。
【背景技術】
【０００２】
従来、遊技場に並列して設置された遊技機や遊技媒体貸出機等の遊技媒体使用機によって形成される遊技機島を構成する枠体に、例えば遊技媒体貸出機を設置する際は、ドライバを使用して遊技媒体使用機の筐体の底部と天井部を遊技機島の枠体に複数個所ずつネジ留めしていた。
【０００３】
また、特許文献１に開示されているように、遊技機を遊技機島に設置する際には、遊技機の外枠に予め設けた装着孔に装着された釘等の固定手段を遊技機島の枠体に打付けることによって遊技機の取付けを行なう、といった設置方法もある。
【０００４】
【特許文献１】特開２００２−３０１２４７号公報
【発明の開示】
【発明が解決しようとする課題】
【０００５】
しかしながら、この遊技媒体使用機を釘を使用して遊技機島に着脱する方法は、遊技媒体使用機の内部に搭載された遊技媒体を貯留するホッパータンク等の様々な装置の間の狭い空間を使って行なわれるものであり、なおかつ、遊技媒体使用機を手で支えながら釘を打込み、引抜く必要がある為、大変困難であった。
【課題を解決するための手段】
【０００６】
本発明は以上のような課題に鑑みてなされたもので、請求項１に記載の発明は、
遊技機島の枠体への遊技媒体使用機の着脱方法において、
背面部に棒状部材固定部を設けた前記遊技媒体使用機を前記遊技機島の枠体内に収納し、
前面扉を開いた前記遊技媒体使用機の開口から進入させた棒状部材の一端部を前記棒状部材固定部によって固定し、
前記棒状部材の一端部を支点に前記棒状部材の他端部を力点にし、
前記棒状部材の途中の作用点で前記遊技媒体使用機の筐体の底部と天井部の少なくとも一方に設けた釘状部材を押圧することにより前記釘状部材を前記遊技機島の枠体に打込んで、前記遊技媒体使用機を前記遊技機島の枠体に取付けるとともに、
前記前面扉を開いた前記遊技媒体使用機の開口から進入させた前記棒状部材の他端部を前記棒状部材固定部によって固定し、
前記他端部を支点に前記棒状部材の一端部を力点にし、
前記釘状部材と前記棒状部材のそれぞれに設けた係合部を係合させて前記遊技機島の枠体から前記釘状部材を引抜いて、
前記遊技媒体使用機を前記遊技機島の枠体から取外す
ことを特徴とする遊技媒体使用機の着脱方法である。
【０００７】
これにより、専用の１本の棒状部材で、梃子の原理を利用して効率よく迅速に遊技媒体使用機を着脱することができる。
【０００８】
請求項２に記載の発明は、
前記遊技機島の枠体に打ち込む前記釘状部材の位置が、
前記棒状部材固定部によって固定した前記棒状部材の一端部を中心にした前記棒状部材の揺動範囲の両側端部である
ことを特徴とする請求項１に記載の遊技媒体使用機の着脱方法である。
【０００９】
これにより、遊技媒体使用機の内部を視認することなく、遊技媒体使用機に設けられた釘状部材を棒状部材で確実に遊技機島の枠体に打込み、引抜くことができる。
【００１０】
請求項３に記載の発明は、
前記棒状部材固定部が、
前記背面部の前記底部側と前記天井部側の少なくとも一方に設けた穿孔である
ことを特徴とする請求項１又は２記載の遊技媒体使用機の着脱方法である。
【００１１】
これにより、遊技媒体貸出機の背面部に設けられた棒状部材固定部である穿孔に棒状部材の端部を進入させることで、梃子の原理を利用して棒状部材により釘状部材の打込み、引抜きを確実に行なうことができる。
【００１２】
請求項４に記載の発明は、
前記棒状部材固定部が
前記背面部の前記底部側と前記天井部側の少なくとも一方に設けるとともに、
前記背面部から前記遊技媒体使用機の内方に突設させた係合片である
ことを特徴とする請求項１又は２記載の遊技媒体使用機の着脱方法である。
【００１３】
これにより、遊技媒体貸出機の背面部に設けられた棒状部材固定部である係合片に棒状部材の端部を係合させることで、梃子の原理を利用して釘状部材の打込み、引抜きを確実に行なうことができる。
【発明の効果】
【００１４】
本発明における遊技媒体使用機の着脱方法は、予め遊技媒体使用機に設けられた釘状部材を専用の棒状部材で梃子の原理を利用して打込み、引抜くことによって、遊技媒体使用機を遊技機島の枠体に対して着脱することができる為、労力の軽減と共に、遊技媒体使用機内の狭い作業空間において、効率よく迅速に、しかも確実に遊技媒体使用機の脱着作業を行うことができる。
【発明を実施するための最良の形態】
【００１５】
次に、本発明の最良な実施形態について図面を参照しながら具体的に説明していく。なお、本実施例では遊技媒体使用機としてメダルを貸出す遊技媒体貸出機であるメダル貸出機を例示して説明するが、メダルを用いるスロットマシン、パチンコ玉を用いるパチンコ機、パチンコ玉を貸出す玉貸出機など各種遊技媒体使用機に適用することができる。（以下の実施例では、遊技機はスロットマシン、遊技媒体貸出機はメダル貸出機、遊技媒体はメダルとする。）そして、図１は遊技機島の正面図、図２は本発明の第１の実施形態であるメダル貸出機の取付けにおける第２工程を表す斜視図、図３は本発明の第１の実施形態であるメダル貸出機の取付けにおける第３工程を表す斜視図、図４は係止片が備わったメダル貸出機の背面部に設けられた穿孔に進入させた本発明の第１の実施形態に適応する棒材と関連する部材との関係を表す斜視図、図５はメダル貸出機の背面部の下部に設けられた係合片に係合させた本発明の第１の実施形態の棒材と関連する部材との関係を表す斜視図、図６は本発明の第１の実施形態のメダル貸出機の取外しにおける第１工程を表す斜視図、図７は本発明の第１の実施形態のメダル貸出機の取外しにおける第２工程を表す斜視図、図８は本発明の第１の実施形態の鎌型釘の穿孔部材と棒材の突状部材との係合を表す斜視図、図９は本発明の第１の実施形態の他の鎌型釘を表す図、図１０は本発明の他の実施形態の鎌型釘を表す斜視図、図１１は本発明の他の実施形態の棒材を表す斜視図である。
【００１６】
図１に示すように、遊技場では、スロットマシン１で遊技する際に必要とするメダルの貸出しを行うメダル貸出機１０が、遊技機島２に設けられたスロットマシン１に隣接して設置されていて、遊技者は遊技を始めるにあたり、メダル貸出機１０から貸出しを受けて得たメダルを使用して遊技を行なう。
【００１７】
図２に示すように、本発明の第１の実施形態である遊技機島２の枠体３へのメダル貸出機１０の着脱方法は、メダル貸出機１０の筐体の底部１４と天井部（図示しない）に予め二箇所ずつメダル貸出機１０の筐体と一体に設けた釘状部材である鎌型釘２０ａを、専用の棒状部材である棒材３０ａを用いて遊技機島２の木製の枠体３への打ち込み、引抜きを行なうものである（天井部に対する鎌型釘２０ａの打込み、引抜きは底部１４の場合と同様であるので、詳細な説明を省略する）。
【００１８】
棒材３０ａには、一端部に突状片３１を備え、一端部から離れた他端部寄りの両側から棒材３０ａの長手方向と交わる方向に一個ずつ突状部材３２が突設されている。
【００１９】
鎌型釘２０ａは、メダル貸出機１０の筐体の底部１４及び天井部に切り込みを入れて、一部を筐体と一体に屈曲自在にした本体部２４と、本体部２４と一体に形成され、枠体３に打込むために先端部を鋭くした三角形状の刃部２２と、本体部２４と一体に形成され、枠体３に打込まれた鎌型釘２０ａを引抜くときに使用する穿孔部材２１とから構成される。ここで、鎌型釘２０ａはメダル貸出機１０と同じ材質の金属材である。
【００２０】
メダル貸出機１０を遊技機島２の枠体３に取付ける前に、メダル貸出機１０の筐体の底部１４及び天井部の鎌型釘２０ａを、筐体と一体の部分で筐体の内側方向に折り曲げて筐体から起こすとともに、刃部２２を本体部２４に対して直角に筐体の外側方向に折り曲げ、さらに、穿孔部材２１を本体部２４に対して直角に筐体の内側方向に折り曲げて枠体３に対して打込み可能な状態にしておく。
【００２１】
遊技機島２へのメダル貸出機１０の取付け手順は、
（第１工程）遊技機島２の枠体３内に、鎌型釘２０ａを枠体３に対して打込み可能にしたメダル貸出機１０を収納したのち、棒材３０ａの一端部をメダル貸出機１０の前面側の開口から筐体内に差込み、メダル貸出機１０の背面部１５の下部に設けた穿孔１１に、棒材３０ａの突状片３１を進入させる。
【００２２】
（第２工程）穿孔１１に進入させた棒材３０ａの一端部の突状片３１を中心にして、メダル貸出機１０の筐体の側部によって棒材３０ａの水平方向の動きが止められるまで棒材３０ａの他端部を左方向に揺動する（図２参照）。
【００２３】
ここで、筐体の底部１４と天井部における鎌型釘２０ａは、メダル貸出機１０の筐体の背面部１５の上部と下部に設けられた穿孔１１に棒材３０ａの一端部の突状片３１を進入させて一端部を中心に棒材３０ａの他端部を左右方向に動かし、メダル貸出機１０の筐体の両側部によって左右方向の動きが止められた位置から垂直方向に底部１４又は天井部に向けて動かしたときに押圧できる位置に設けられる。なお、棒材３０ａによって押圧されるのは鎌型釘２０ａの本体部２４であり、鎌型釘２０ａの端部からメダル貸出機１０の内側に向けて延設された穿孔部材２１は棒材３０ａによって押圧されない。
【００２４】
（第３工程）図３に示すように、棒材３０ａの他端部を垂直下方に押下げ、棒材３０ａと鎌型釘２０ａとの当接部を「作用点」、第１工程で穿孔１１に進入させた棒材３０ａの突状片３１と穿孔１１との当接部を「支点」、棒材３０ａの他端部を「力点」として、梃子の原理を利用して棒材３０ａで鎌型釘２０ａの刃部２２を遊技機島２の枠体３に押込む。
【００２５】
なお、メダル貸出機１０には、前面扉（図示しない）を取付けた際、メダル貸出機１０の筐体本体と前面扉との間にできた間隙から異物を進入させて不正にメダルの払出しを行なうといった違法な行為を防止する為に、図４に示すように、メダル貸出機１０の筐体の底部１４と天井部から筐体上下方向にそれぞれ垂直に係止片１２を延設して異物を進入させる間隙が生じないように形成されたものがある。このようなメダル貸出機１０に本発明を適応する際は、２本の棒材３０を長手方向にずらして重ね合わせた形状の棒材３０ｂを使用することで、棒材３０ｂを係止片１２に当接させることなく棒材３０ｂによって鎌型釘２０ａを押圧して刃部２２を枠体３に押込むことができる。
【００２６】
（第４工程）メダル貸出機１０の正面から向かって右側の鎌型釘２０ａについても左側の鎌型釘２０ａと同様に押込み、メダル貸出機１０の底部１４を枠体３に固定する。
【００２７】
（第５工程）次いで、第１工程〜第４工程と同様の要領でメダル貸出機１０の天井部も枠体３に固定し、メダル貸出機１０の枠体３への取付けを完成させる。
【００２８】
メダル貸出機１０の背面部１５の下部に設けた穿孔１１は、進入させた棒材３０ａの突状片３１との当接部が「支点」となり、梃子の原理を利用して棒材３０ａによって鎌型釘２０ａを押込む為のものであり、その構造は穿孔１１に限らず、例えば、図５に示すように、係合する棒材３０ａの突状片３１が「支点」として働くような、メダル貸出機１０の背面部１５からメダル貸出機１０内部に向けて突出した係合片１３であってもよい。
【００２９】
次に、遊技機島２からのメダル貸出機１０の取外し手順は、
（第１工程）図６に示すように、棒材３０ａの他端部を遊技機島２の枠体３に設置されたメダル貸出機１０の前面側の開口から筐体内に向けて差し込み、メダル貸出機１０の背面部１５の下部に設けた穿孔１１に、棒材３０ａの突状片３１を進入させる。
【００３０】
（第２工程）図７に示すように、棒材３０ａの一端部を、メダル貸出機１０の筐体の側面によって動きが規制されるところまで棒材３０ａを左方向に揺動する。
【００３１】
図８に示すように、第１工程、第２工程を実施することにより、棒材３０ａの突状部材３２が、鎌型釘２０ａの穿孔部材２１の穿孔へ進入して係合する。
【００３２】
（第３工程）突状部材３２と穿孔部材２１の当接部を「作用点」、穿孔１１に進入させた棒材３０ａの他端部の突状片３１と穿孔１１との当接部を「支点」、棒材３０ａの一端部を「力点」として、梃子の原理を利用して棒材３０ａの突状部材３２で鎌型釘２０ａを押上げる。
【００３３】
また、図９に示すように、鎌型釘２０は、棒材３０ａで押圧されたときに、遊技機島２の枠体３に途中までしか刺さらないように刃部２２に段差を設けた形状としてもよい。この場合、鎌型釘２０ｂを遊技機島２の枠体３に打ち込んだときに生じる鎌型釘２０ｂの本体部２４とメダル貸出機１０の底部１４との隙間が、穿孔部材２１の代わりとなって棒材３０ａの突状部材３２と係合する。
【００３４】
（第４工程）メダル貸出機１０の正面から向かって右側の鎌型釘２０ａについても左側の鎌型釘２０ａと同様に押上げ、遊技機島２の枠体３へのメダル貸出機１０の底部１４の固定を解除する。
【００３５】
（第５工程）次いで、第１工程〜第４工程と同様の要領でメダル貸出機１０の天井部への固定も解除し、遊技機島２の枠体３からメダル貸出機１０を取外す。
【００３６】
次に、本発明の他の実施形態であるメダル貸出機１０の着脱方法は、図１０に示すように、メダル貸出機１０の底部１４と天井部に一箇所ずつ設けた鎌型釘２０ｃを使用し、専用の棒材３０ｃを用いて着脱を行なうものである（天井部に対する鎌型釘２０ｃの打込み、引抜きは底部１４の場合と同様であるので、詳細な説明を省略する）。
【００３７】
図１１に示すように、棒材３０ｃは、突状片３１を備えた一端部と、板状部材３３が棒材３０ｃの長さ方向に延設された他端部とを備えている。
【００３８】
鎌型釘２０ｃは、メダル貸出機１０の筐体の底部１４及び天井部に切込みを入れて、枠体３に打込む二枚の三角形状の刃部２２が形成され、メダル貸出機１０の筐体と鎌型釘２０ｃの根元が屈曲自在に一体となっており、先端部に筐体の外側方向に屈曲させた上述の２枚の三角形状の刃部２２を備え、棒材３０ｃによって二枚の刃部２２が遊技機島２の枠体３に押込まれたときに、本体部２４とメダル貸出機１０の底部１４との間に棒材３０ｃの板状部材３３を進入させることができる切欠部２３が二枚の刃部２２の間に設けられている（図１０参照）。
【００３９】
遊技機島２へのメダル貸出機１０の取付け方法は、
（第１工程）遊技機島２の枠体３内に、鎌型釘２０ｃを枠体３に対して打込み可能にしたメダル貸出機１０を収納したのち、棒材３０ｃの一端部をメダル貸出機１０の前面側の開口から筐体内に差込み、メダル貸出機１０の背面部１５の下部に設けた穿孔１１に、棒材３０ｃの突状片３１を進入させる。
【００４０】
（第２工程）棒材３０ｃと本体部２４との当接部を「作用点」、突状片３１と穿孔１１との当接部を「支点」、棒材３０ｃの他端部を「力点」として、梃子の原理を利用して棒材３０ｃで鎌型釘２０ｃを遊技機島２の枠体３に押込み、メダル貸出機１０の底部１４を遊技機島２の枠体３に固定する。
【００４１】
（第３工程）次いで、第１工程〜第２工程と同様の要領でメダル貸出機１０の天井部も遊技機島２の枠体３に固定し、メダル貸出機１０の遊技機島２の枠体３への取付けを完成させる。
【００４２】
次に、遊技機島２からのメダル貸出機１０の取外し方法は、
（第１工程）棒材３０ｃの他端部を、遊技機島２の枠体３に設置されたメダル貸出機１０の前面側の開口から筐体内に向けて差込み、メダル貸出機１０の底部１４の鎌型釘２０ｃの両刃部２２間にある切欠部２３に、棒材３０ｃの板状部材３３を進入させる。
【００４３】
（第２工程）鎌型釘２０ｃの切欠部２３と、切欠部２３に進入させた棒材３０ｃの他端部の板状部材３３との当接部を「作用点」、棒材３０ｃとメダル貸出機１０の筐体の底部１４の入口側端との当接部を「支点」、棒材３０ｃの一端部を「力点」として、梃子の原理を利用して棒材３０ｃの板状部材３３で鎌型釘２０ｃを押上げて刃部２２を枠体３から引抜くことによって、遊技機島２の枠体３へのメダル貸出機１０の底部１４の固定を解除する。
【００４４】
（第３工程）次いで、第１工程〜第２工程と同様の要領でメダル貸出機１０の天井部の固定も解除し、遊技機島２の枠体３からメダル貸出機１０を取外す。
【００４５】
ここで、棒材３０ａの突起部材３２を鎌型釘２０ａとの位置関係は、一端部をメダル貸出機１０の背面部１５に設けられた穿孔１１で固定した棒材３０ａで鎌型釘２０ａを遊技機島２の枠体３に打込むとき、棒材３０ａの突状部材３２が鎌形釘２０ａに当接しない位置に設けられており、また、他端部をメダル貸出機１０の背面部１５に設けられた穿孔１１で固定した棒材３０ａで鎌形釘２０ａを引抜くとき、棒材３０ａの突状部材３２が鎌形釘２０ａの穿孔部材２１に係合する位置に設けられている。これにより、１本の棒材３０ａを使用して確実に鎌形釘２０ａを遊技機島２の枠体３に打込み、引抜くことができる。
【００４６】
このように、１本の棒材３０ａを使用して鎌型釘２０ａを遊技機島２の枠体３への打込み、引抜きを行なってもいいが、これに限定されず、これら１本の棒材３０ａの機能を２本の棒材に分散して持たせてもよい。つまり、鎌型釘３０ａの打込み、引抜きの機能を２本の棒材に分散して１本は打込み用、残りの１本は突状部材３２を備えた引抜き用としてもよい。
【００４７】
なお、メダル貸出機１０の天井部に設けられた鎌型釘２０と、底部１４に設けられた鎌型釘２０の着脱順序はどちらから行なっても構わないし、本発明の第１の実施形態の鎌型釘２０ａを使用する場合においても、左右の鎌型釘２０の着脱順序はどちらから行なっても構わない。また、棒材３０及び突状部材３２の材質はステンレス等の金属材であっても良いし、本発明に適応可能なものであれば限定されるものではない。
【００４８】
また、メダル貸出機１０の筐体の底部１４と天井部に設けられた穿孔１１に進入させた棒材３０ａの一端部を中心にした棒材３０ａの揺動範囲の両側端部に鎌形釘２０ａを形成したが、棒材３０ａの揺動する範囲内であればこれに限らず他の位置に鎌型釘２０ａを形成してもよい。
【００４９】
鎌型釘２０とメダル貸出機１０との接合構造は、スロットマシン１やメダル貸出機１０といった遊技媒体使用機の筐体の材質に対応させて、例えば、筐体が金属製であれば筐体と同質の金属製の鎌型釘２０の根元部分を筐体の底部１４と屈曲自在に一体として、筐体が木製であれば金属製の蝶番等を用いて筐体の底部１４に金属製の鎌型釘２０を固定してもよい。
【００５０】
また、鎌型釘２０は、メダル貸出機１０の筐体の底部１４及び天井部に切り込みを入れて、一部を筐体と一体に屈曲自在にした本体部２４と、本体部２４と一体に形成された刃部２２と、本体部２４と一体に形成された穿孔部材２１とから構成されているが、これに限定されず、一部を筐体と一体に屈曲自在にした本体部２４に、溶接等の手段を用いて、刃部２２及び穿孔部材２１を取付けたものであってもよい。
【図面の簡単な説明】
【００５１】
【図１】遊技機島の正面図である。
【図２】本発明の第１の実施形態であるメダル貸出機の取付けにおける第２工程を表す斜視図である。
【図３】本発明の第１の実施形態であるメダル貸出機の取付けにおける第３工程を表す斜視図である。
【図４】係止片が備わったメダル貸出機の背面部に設けられた穿孔に進入させた本発明の第１の実施形態に適応する棒材と関連する部材との関係を表す斜視図である。
【図５】メダル貸出機の背面部の下部に設けられた係合片に係合させた本発明の第１の実施形態の棒材と関連する部材との関係を表す斜視図である。
【図６】本発明の第１の実施形態のメダル貸出機の取外しにおける第１工程を表す斜視図である。
【図７】本発明の第１の実施形態のメダル貸出機の取外しにおける第２工程を表す斜視図である。
【図８】本発明の第１の実施形態の鎌型釘の穿孔部材と棒材の突状部材との係合を表す斜視図である。
【図９】本発明の第１の実施形態の他の鎌型釘を表す図である。
【図１０】本発明の他の実施形態の鎌型釘を表す斜視図である。
【図１１】本発明の他の実施形態の棒材を表す斜視図である。
【符号の説明】
【００５２】
１  スロットマシン（遊技機）
２  遊技機島
３  枠体
１０  メダル貸出機（遊技媒体貸出機）
１１  穿孔
１２  係止片
１３  係合片
１４  底部
１５  背面部
２０  鎌型釘
２０ａ  鎌型釘
２０ｂ  鎌型釘
２０ｃ  鎌型釘
２１  穿孔部材
２２  刃部
２３  切欠部
２４  本体部
３０  棒材
３０ａ  棒材
３０ｂ  棒材
３０ｃ  棒材
３１  突状片
３２  突状部材
３３  板状部材
【図１】
2009066219.tif 000003
【図２】
2009066219.tif 000004
【図３】
2009066219.tif 000005
【図４】
2009066219.tif 000006
【図５】
2009066219.tif 000007
【図６】
2009066219.tif 000008
【図７】
2009066219.tif 000009
【図８】
2009066219.tif 000010
【図９】
2009066219.tif 000011
【図１０】
2009066219.tif 000012
【図１１】
2009066219.tif 000013